【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】
検査情報及びメニューを表示する表示手段を備えた非破壊検査装置において、
複数の第１階層選択項目が各選択項目毎に関連する１または複数の第２階層選択項目を少なくとも２階層以上のメニュー選択階層に構成し、このメニュー選択階層の中のある選択項目と、この選択項目に関連する下層のメニュー選択階層に属している選択項目群とを囲う枠を前記メニューに付加するユーザインタフェース形成部と、
前記ユーザインタフェース形成部から送出される情報に基づいて前記表示手段にメニュー表示を行う画面表示制御部と、
を備えたことを特徴とする非破壊検査装置。
【請求項２】
前記枠内を前記選択項目毎に異なる固有の色で着色する前記ユーザインタフェース形成部を備えたことを特徴とする請求項１に記載の非破壊検査装置。
【請求項３】
前記選択項目において、前記メニュー選択階層毎に異なる固有のフォントを指定する前記ユーザインタフェース形成部を備えたことを特徴とする請求項１又は２に記載の非破壊検査装置。
【請求項４】
前記第２階層選択項目の下層に属する複数のメニュー選択階層において、各メニュー選択階層毎に属する選択項目群を互いに位置ずれさせ、少なくとも一部を露出するように下層側を上に重ねた前記メニューを構成する前記ユーザインタフェース形成部を備えたことを特徴とする請求項１から３のいずれかに記載の非破壊検査装置。
【請求項５】
下層に属するメニュー選択階層から初期設定画面へ直接戻す操作手段が設けられていることを特徴とする請求項１から４のいずれかに記載の非破壊検査装置。
【手続補正２】
【補正対象書類名】明細書
【補正対象項目名】０００４
【補正方法】変更
【補正の内容】
【０００４】
なお、メニュー画面表示の従来例としては、超音波診断装置のメニュー画面にタッチキーを使用したものがある。（たとえば、特許文献１参照）
この他にも、超音波流量計の表示画面を図示したものがある。（たとえば、特許文献２参照）
【手続補正３】
【補正対象書類名】明細書
【補正対象項目名】０００８
【補正方法】変更
【補正の内容】
【０００８】
【課題を解決するための手段】
本発明は、上記課題を解決するため、以下の手段を採用した。
請求項１に記載の非破壊検査装置は、検査情報及びメニューを表示する表示手段を備え、複数の第１階層選択項目が各選択項目毎に関連する１または複数の第２階層選択項目を少なくとも２階層以上のメニュー選択階層に構成し、このメニュー選択階層の中のある選択項目と、この選択項目に関連する下層のメニュー選択階層に属している選択項目群とを囲う枠を前記メニューに付加するユーザインタフェース形成部と、前記ユーザインタフェース形成部から送出される情報に基づいて前記表示手段にメニュー表示を行う画面表示制御部とを備えたことを特徴とするものである。
【手続補正４】
【補正対象書類名】明細書
【補正対象項目名】０００９
【補正方法】変更
【補正の内容】
【０００９】
請求項２に記載の発明によれば、請求項１に記載の非破壊検査装置において、前記枠内を前記選択項目毎に異なる固有の色で着色する前記ユーザインタフェース形成部を備えたことを特徴とするので、検査官（使用者）は、現在選択されているメニュー選択階層の選択項目及びその一つ下のメニュー選択階層に属する選択項目群を固有の色で識別し、容易に認識することができる。
【手続補正５】
【補正対象書類名】明細書
【補正対象項目名】００１０
【補正方法】変更
【補正の内容】
【００１０】
請求項３に記載の発明は、請求項１又は２記載の非破壊検査装置において、前記メニュー選択階層毎に異なる固有のフォントを指定する前記ユーザインタフェース形成部を備えたことを特徴とするので、画面表示されている選択項目のフォントからメニュー選択階層を認識することができる。
【手続補正６】
【補正対象書類名】明細書
【補正対象項目名】００１１
【補正方法】変更
【補正の内容】
【００１１】
請求項４に記載の発明は、請求項１から３のいずれかに記載の非破壊検査装置において、前記第２階層選択項目の下層に属する複数のメニュー選択階層において、各メニュー選択階層毎に属する選択項目群を互いに位置ずれさせ、少なくとも一部を露出するように下層側を上に重ねた前記メニューが構成されることを特徴とするので、第３階層以下の深い位置にある複数のメニュー選択階層が開かれると、全ての階層を位置ずれした状態で重ねて表示することができる。従って、第３階層以下の深い階層についても、現在画面表示されているメニュー選択階層及びその構成を容易に認識することができる。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項５に記載の発明は、請求項１から４のいずれかに記載の非破壊検査装置において、下層に属するメニュー選択階層から初期設定画面へ直接戻す操作手段が設けられていることを特徴とするので、使用前に深い階層まで詳細に設定を行った後にも、実際に非破壊検査を行う際に使用する第１のメニュー選択階層を表示する初期設定画面まで容易に戻すことができる。
【手続補正９】
【補正対象書類名】明細書
【補正対象項目名】００５５
【補正方法】変更
【補正の内容】
【００５５】
本発明の非破壊検査装置によれば、以下の効果を奏する。
上述した本発明によれば、メニュー選択階層から選択した選択項目と、この選択項目に関連する一つ下のメニュー選択階層に属している選択項目群とを一つにまとめて枠で囲い、選択項目毎に異なる固有の色に背景を着色して同時に画面表示するので、現在選択されているメニュー選択階層の選択項目及びその一つ下のメニュー選択階層に属する選択項目群を固有の色で直感的に識別し、容易に認識することができる。
また、選択項目の画面表示には、メニュー選択階層毎に異なる固有のフォントが用いられるので、これにより画面表示されている選択項目のメニュー選択階層を容易かつ直感的に認識することができる。
また、第３階層以下の深い位置にある複数のメニュー選択階層が開かれると、全ての階層を位置ずれした状態で重ねて表示するので、第３階層以下の深い階層についても、現在画面表示されているメニュー選択階層及びその構成を容易に認識することができる。
【手続補正１０】
【補正対象書類名】明細書
【補正対象項目名】００５７
【補正方法】変更
【補正の内容】
【００５７】
また、本発明の非破壊検査装置においては、種類の異なる複数の検出手段（プローブ）に対応したメニュー画面を直接選択して表示するメニュー選択手段を備えているので、検出手段を交換して変更された場合の設定が容易になる。
また、下層に属するメニュー選択階層から初期設定画面へ直接戻す操作手段を設けたことにより、使用前に深い階層まで詳細に設定を行った後にも、実際に非破壊検査を行う際に使用する第１のメニュー選択階層を表示する初期設定画面まで容易に戻すことができ、従って、深い階層まで必要なメニュー構成であっても良好な操作性を維持できる。
さらに、選択階層の数を増やし、その分各階層の中の選択項目を減らすようなメニュー構成とすることも可能になるので、各階層に属するメニュー構成の数を減らすことができる。この結果、各階層で選択項目を直接選択するために必要となるスイッチ類の数を減らすことができるので、コストの削減に有効である。
さらに、種類の異なるプローブに対応するメニュー画面を素早く頻繁に選択することができるため、作業性が向上する。しかも、種類の異なるプローブによってメニュー構成を切り替えるので、関係のない項目を省略することができるようになり、メニュー構成が簡単で分かりやすくなるとともに、選択項目を直接選択するために必要となるスイッチ類の数を減らしてコストを削減することも可能になる。
【手続補正１１】
【補正対象書類名】明細書
【補正対象項目名】００５８
【補正方法】変更
【補正の内容】
【００５８】
【発明の効果】
以上説明したように、この発明に係る非破壊検査装置によれば、装置に必要なメニュー構成やメニュー階層を分かりやすく画面表示し、その操作性の向上が可能となる。